(57)【要約】【課題】本発明は高い秘密保持を要求される情報処理に用いて好適なノート型パーソナルコンピュータに関し、紛失した場合であっても記憶情報の漏洩を防止することを課題とする。【解決手段】キーボード１３等が配設されたコンピュータ本体１１（ＰＣ本体）と、液晶ディスプレイ１７等が設けられると共にＰＣ本体１１に対して開閉可能な構成とされており閉蓋されることによりキーボード１３を覆う蓋体１２とを具備するノート型パーソナルコンピュータにおいて、蓋体１２がキーボード１３を覆う閉蓋状態でＰＣ本体１１に施錠し、蓋体１２の開蓋を不能とする施錠機構１８を設ける。【選択図】　　図１
2004046425.tif 000002
【特許請求の範囲】
【請求項１】
キーボードが配設されたコンピュータ本体と、
液晶ディスプレイが設けられると共に前記コンピュータ本体に対して開閉可能な構成とされており、閉蓋されることにより前記キーボードを覆う蓋体とを具備するノート型パーソナルコンピュータにおいて、
前記蓋体が前記キーボードを覆う閉蓋状態で、前記蓋体と前記コンピュータ本体とを施錠する鍵を設けたことを特徴とするノート型パーソナルコンピュータ。
【請求項２】
請求項１記載のノート型パーソナルコンピュータにおいて、前記コンピュータ本体または前記蓋体に電源スイッチを設け、該電源スイッチが前記鍵の施錠により電源を切った状態にロックされるよう構成したことを特徴とするノート型パーソナルコンピュータ。
【請求項３】
請求項１記載のノート型パーソナルコンピュータにおいて、前記コンピュータ本体または前記蓋体に電源スイッチを覆うカバーをスライド可能に設け、該カバーが前記電源スイッチを覆う位置でロックされるよう構成したことを特徴とするノート型パーソナルコンピュータ。
【発明の詳細な説明】
【０００１】
【発明の属する技術分野】
本発明はノート型パーソナルコンピュータに係り、特に高い秘密保持を要求される情報処理に用いて好適なノート型パーソナルコンピュータに関する。
【０００２】
ノート型パーソナルコンピュータは、その有する携帯性により、パーソナルユースからビジネスユースまで幅広く用いられている。従って、ノート型パーソナルコンピュータをビジネスユースとして用いた場合、高い秘密保持を要求される情報の処理にこのノート型パーソナルコンピュータを用いる場合がある。このような場合には、記憶された情報がノート型パーソナルコンピュータから外部に容易に漏洩しないようにする必要がある。
【０００３】
【従来の技術】
一般に、ノート型パーソナルコンピュータは、電源スイッチ，キーボード，ＣＰＵ，ハードディスクドライブ装置等が配設されたコンピュータ本体と、液晶ディスプレイ等が設けられた蓋体とにより構成されている。そして、携帯性を向上させる面より、蓋体はコンピュータ本体に対して開閉可能な構成とされている。
【０００４】
このノート型パーソナルコンピュータを使用するときは、蓋体はコンピュータ本体に対し開いた状態で使用される。また、不使用時及び携帯時においては、蓋体はコンピュータ本体に向け回動され、蓋体とコンピュータ本体は重なった状態とされる（以下、この状態を閉蓋状態という）。
【０００５】
このように、不使用時及び携帯時には、蓋体はコンピュータ本体に重なった状態となるため、使用時に比べて体積が小さくなり、よって携帯性の向上を図ることができる。また、閉蓋状態では、キーボード及び液晶ディスプレイは重なった状態の蓋体とコンピュータ本体との対向位置に位置するため、外部から触れることができない状態となっている。
【０００６】
【発明が解決しようとする課題】
ところで、ノート型パーソナルコンピュータでは、これを紛失することが問題となっている。前記したように、ノート型パーソナルコンピュータは携帯性に優れるが、返ってこれにより据え置き型のコンピュータに比べて紛失する機会が多くなっている。
【０００７】
また、一旦ノート型パーソナルコンピュータが紛失すると、当該ノート型パーソナルコンピュータに記憶させていた情報が漏洩するおそれがある。特に、ノート型パーソナルコンピュータに高い秘密保持を要求される情報を記憶させていた場合、この問題は重要となる。
【０００８】
このような情報が漏洩を防止する手段として、従来ではノート型パーソナルコンピュータ自体を紛失しない手段が採られていた。また、個人識別番号（ＩＤ）やパスワードを設定することも行なわれている。
【０００９】
しかしながら、ノート型パーソナルコンピュータの紛失防止手段にも限界があり、紛失を完全に無くすることはできない。よって、ＩＤやパスワードを解読された場合には、記憶情報が漏洩してしまう。
【００１０】
本発明は上記の点に鑑みてなされたものであり、紛失した場合であっても記憶情報の漏洩を防止しうるノート型パーソナルコンピュータを提供することを目的とする。
【００１１】
【課題を解決するための手段】
上記の課題を解決するために本発明では、次に述べる各手段を講じたことを特徴とするものである。
【００１２】
請求項１記載の発明は、
キーボードが配設されたコンピュータ本体と、
液晶ディスプレイが設けられると共に前記コンピュータ本体に対して開閉可能な構成とされており、閉蓋されることにより前記キーボードを覆う蓋体とを具備するノート型パーソナルコンピュータにおいて、
前記蓋体が前記キーボードを覆う閉蓋状態で、前記蓋体と前記コンピュータ本体とを施錠する鍵を設けたことを特徴とするものである。
【００１３】
上記発明によれば、蓋体とコンピュータ本体とを閉蓋状態で施錠する鍵を設けたことにより、ノート型パーソナルコンピュータが紛失したとしても、蓋体とコンピュータ本体は施錠されており、使用状態（コンピュータ本体に対して蓋体を開いた状態）とすることができない。
【００１４】
このため、キーボードの操作が不能となると共に、コンピュータの動作状態を液晶ディスプレイで確認しながら操作することも不能となり、よって操作用のコマンドの投入等が一切行なえなくなる。これにより、仮にノート型パーソナルコンピュータが紛失したとしても、記憶されたデータが漏洩することを防止することができる。
【００１５】
また、請求項２記載の発明は、
請求項１記載のノート型パーソナルコンピュータにおいて、
前記コンピュータ本体または前記蓋体に電源スイッチを設け、該電源スイッチが前記鍵の施錠により電源を切った状態にロックされるよう構成したことを特徴とするものである。
【００１６】
上記発明によれば、コンピュータ本体または蓋体に設けられた電源スイッチが、鍵の施錠により電源を切った状態にロックされるよう構成したことにより、施錠状態では電源をオンすることもできないため、記憶されたデータの漏洩をより確実に防止することができる。
【００１７】
また、請求項３記載の発明は、
請求項１記載のノート型パーソナルコンピュータにおいて、
前記コンピュータ本体または前記蓋体に電源スイッチを覆うカバーをスライド可能に設け、該カバーが前記電源スイッチを覆う位置でロックされるよう構成したことを特徴とするものである。
【００１８】
上記発明によれば、施錠状態においてカバーが電源スイッチを覆う位置でロックされる。このため、施錠状態では電源をオンすることができなくなり、よって記憶されたデータの漏洩をより確実に防止することができる。
【００１９】
【発明の実施の形態】
次に、本発明の実施の形態について図面と共に説明する。
【００２０】
図１は、本発明の第１実施例であるノート型パーソナルコンピュータ１０Ａ（以下、ノート型ＰＣと略称する）を示している。ノート型ＰＣ１０Ａは、大略するＰＣ本体１１，蓋体１２，及び施錠機構１８とにより構成されている。
【００２１】
ＰＣ本体１１は、上面にキーボード１３，フラットポイント１４等の入力装置と、各種表示ランプ等が設けられている。また、ＰＣ本体１１の内部には、中央演算装置となるＣＰＵ、メモリ装置、記憶装置となるハードディスクドライブ装置の情報処理に必要な各種電子機器・装置が配設されている。
【００２２】
更に、ＰＣ本体１１の側部には、カードスロット１５が設けられると共に、電源スイッチ１６Ａ等が設けられている。この電源スイッチ１６Ａはノート型ＰＣ１０Ａの主電源となるものであり、よってこの電源スイッチ１６Ａをオン（ＯＮ）としないとノート型ＰＣ１０Ａを使用することができない。
【００２３】
蓋体１２は、ＰＣ本体１１に対して回動可能に取り付けられている。即ち、蓋体１２は、図１（Ａ）に示すＰＣ本体１１に対して開かれた位置と、図１（Ｂ）に示す閉じられＰＣ本体１１の表面を覆う位置との間で移動する。この蓋体１２は液晶ディスプレイ１７が設けられており、ノート型ＰＣ１０Ａの操作者は、この液晶ディスプレイ１７の表示を見ながらキーボード１３及びフラットポイント１４等を用いて入力処理を行なう。
【００２４】
尚、以下の説明において、図１（Ａ）に示す状態はノート型ＰＣ１０Ａを使用する状態であるため使用状態といい、また図２（Ｂ）に示す状態はノート型ＰＣ１０Ａを使用しないか携帯する状態であるため、この状態を以下の説明において不使用状態というものとする。更に、蓋体１２の図１（Ａ）に示される位置を開蓋位置といい、蓋体１２の図１（Ｂ）に示される位置を閉蓋位置というものとする。
【００２５】
次に、本発明の要部となる施錠機構１８について説明する。図１（Ｂ）に示されるように、本実施例に係るノート型ＰＣ１０Ａには、施錠機構１８が設けられている。本実施例の施錠機構１８は、蓋体１２が閉蓋位置にある時、蓋体１２の表面（液晶ディスプレイ１７の配設された面に対し反対側の面）に配設された鍵穴１９に鍵２０を挿入し、これを回動操作する（以下、こま操作を施錠操作という）ことにより施錠が行なわれる構成とされている。
【００２６】
具体的には、鍵穴１９に鍵２０を挿入して施錠操作を行なうと，施錠機構１８を構成する施錠片（図示せず）が施錠用孔２１からＰＣ本体１１の施錠用孔２２に進入し、施錠用孔２２内の施錠ピン（図示せず）と係止する。これにより、ＰＣ本体１１と蓋体１２は施錠機構１８により施錠され、蓋体１２をＰＣ本体１１から開き使用状態することができなくなる。
【００２７】
これにより、不使用時に操作者が鍵２０によりノート型ＰＣ１０Ａに対して施錠を行なっておくことにより、仮に当該ノート型ＰＣ１０Ａを紛失したとしても、ＰＣ本体１１と蓋体１２は施錠機構１８により施錠されているため、ノート型ＰＣ１０Ａを使用状態（ＰＣ本体１１に対して蓋体１２を開いた状態）とすることができない。
【００２８】
このように、ＰＣ本体１１と蓋体１２が施錠されることにより、キーボード１３の操作が不能となると共に液晶ディスプレイ１７の使用も不能となる。よって、キーボード１３による入力処理、及び液晶ディスプレイ１７による認識処理が共にできなくなり、従ってノート型ＰＣ１０Ａに対し操作用のコマンドの投入等が一切行なえなくなる。これにより、仮にノート型ＰＣ１０Ａを紛失したとしても、記憶されたデータが漏洩することを確実に防止することができる。
【００２９】
次に、図２及び図３を参照し、本発明の第２実施例であるノート型ＰＣについて説明する。図２は第２実施例であるノート型ＰＣ１０Ｂを示す斜視図であり、図３はその電源スイッチ１６Ｂの近傍を拡大して示す図である。
【００３０】
尚、図２及び図３において、図１に示した構成と同一構成については同一符号を付してその説明を省略するものとする。また、図４を用いて説明する第３実施例の説明においても同様とする。
【００３１】
図１に示した第１実施例に係るノート型ＰＣ１０Ａでは、施錠機構１８は単にＰＣ本体１１と蓋体１２を施錠するだけの構成とされていた。これに対して本実施例に係るノート型ＰＣ１０Ｂは、施錠機構１８によりＰＣ本体１１と蓋体１２を施錠した際、電源スイッチ１６Ｂのロックも行なえる構成としたことを特徴とするものである。以下、その詳細について説明する。
【００３２】
図３（Ａ）及び図３（Ｂ）に示すように、本実施例係るノート型ＰＣ１０Ｂに設けられた電源スイッチ１６Ｂは、スライドカバー２４を有した構成とされている。このスライドカバー２４は、図中矢印Ｘ１，Ｘ２方向にスライド可能な構成とされている。
【００３３】
このスライドカバー２４は、図３（Ａ）に示すように矢印Ｘ２方向にスライドされた状態でスイッチノブ２３Ａを露出させる構成となっている。逆に、スライドカバー２４を矢印Ｘ１方向にスライドすることにより、スイッチノブ２３Ａはスライドカバー２４により覆われると共に、施錠機構１８の鍵穴１９を露出させる構成とされている。
【００３４】
上記構成とされたスライドカバー２４は、施錠機構１８によりロック（施錠）される構成となっている。即ち、施錠機構１８は、図３（Ｂ）に示すように第１の施錠片２５と第２の施錠片２６を有しており、施錠した状態において第１の施錠片２５はＰＣ本体１１と蓋体１２を閉蓋位置に施錠し、第２の施錠片２６はスライドカバー２４を矢印Ｘ１方向に移動した状態でロックする構成とされている。
【００３５】
このように、本実施例では施錠状態においてスライドカバー２４がスイッチノブ２３Ａを覆うため、電源スイッチ１６Ｂを操作することがでくなくなる。従って、施錠状態ではキーボード１３，液晶ディスプレイ１７の使用が不能となると共に、ノート型ＰＣ１０Ｂの電源をオン（ＯＮ）することもできなくなり、よってより確実にノート型ＰＣ１０Ｂに記憶されたデータの漏洩を防止することができる。
【００３６】
次に、図４を参照し、本発明の第３実施例であるノート型ＰＣについて説明する。図４は、第３実施例であるノート型ＰＣ１０Ｃの電源スイッチ１６Ｃの近傍を拡大して示す図である。尚、ノート型ＰＣ１０Ｃの全体構成は、図２に示した第２実施例に係るノート型ＰＣ１０Ｂと略同一であるため、その図示は省略する。
【００３７】
前記した第２実施例では、電源スイッチ１６Ｂに設けられたスライドカバー２４をロックすることにより電源スイッチ１６Ｂの操作を不能とする構成としたが、本実施例に係るノート型ＰＣ１０Ｃでは、施錠機構１８により電源スイッチ１６Ｃのスイッチノブ２３Ｂが操作不能となるよう構成したことを特徴とするものである。
【００３８】
図４（Ａ）及び図４（Ｂ）に示すように、本実施例係るノート型ＰＣ１０Ｂに設けられた電源スイッチ１６Ｂは、スイッチノブ２３Ｂが図中矢印Ｘ１，Ｘ２方向にスライド可能な構成とされている。このキーボード１３Ｂは、図４（Ａ）に示すように矢印Ｘ２方向にスライドされた状態でノート型ＰＣ１０Ｃの電源をオン（ＯＮ）する構成となっている。
【００３９】
逆に、スイッチノブ２３Ｂを矢印Ｘ１方向にスライドすることにより、ノート型ＰＣ１０Ｃの電源をオフ（ＯＦＦ）する構成とされている。また、スイッチノブ２３Ｂが矢印Ｘ１方向にスライドし、ノート型ＰＣ１０Ｃの電源がオフ（ＯＦＦ）となった状態で、施錠機構１８の鍵穴１９が露出される構成とされている。
【００４０】
施錠機構１８は、図４（Ｂ）に示すように第１の施錠片２５と第２の施錠片２６を有しており、施錠した状態において第１の施錠片２５はＰＣ本体１１と蓋体１２を閉蓋位置に施錠し、第２の施錠片２６はスイッチノブ２３Ｂを矢印Ｘ１方向に移動した状態でロックする構成とされている。
【００４１】
このように、本実施例では施錠状態においてスイッチノブ２３Ｂが電源をオフ（ＯＦＦ）した状態でロックされる。従って、施錠状態ではキーボード１３，液晶ディスプレイ１７の使用が不能となると共に、ノート型ＰＣ１０Ｃの電源をオン（ＯＮ）することもできなくなり、よってより確実にノート型ＰＣ１０Ｃに記憶されたデータの漏洩を防止することができる。
【００４２】
【発明の効果】
上述の如く本発明によれば、次に述べる種々の効果を実現することができる。
【００４３】
請求項１記載の発明によれば、施錠状態ではキーボード及び液晶ディスプレイを用いた操作が不能となり、操作用のコマンドの投入等が一切行なえなくなるため、ノート型パーソナルコンピュータが紛失したとしても、記憶されたデータが漏洩することを防止することができる。
【００４４】
また、請求項２記載の発明によれば、施錠状態では電源スイッチがロックされ、電源をオンすることもできないため、記憶されたデータの漏洩をより確実に防止することができる。
【００４５】
また、請求項３記載の発明によれば、施錠状態においてカバーが電源スイッチを覆う位置でロックされるため、施錠状態では電源をオンすることができなくなり、よって記憶されたデータの漏洩をより確実に防止することができる。
【図面の簡単な説明】
【図１】本発明の第１実施例であるノート型パーソナルコンピュータを示す斜視図であり、（Ａ）は蓋体が開いた状態を示し、（Ｂ）は蓋体が施錠された状態を示す図である。
【図２】本発明の第２実施例であるノート型パーソナルコンピュータを示す斜視図であり、（Ａ）は蓋体が開いた状態を示し、（Ｂ）は蓋体が施錠された状態を示す図である。
【図３】本発明の第２実施例であるノート型パーソナルコンピュータの電源スイッチ近傍を拡大して示す図である。
【図４】本発明の第３実施例であるノート型パーソナルコンピュータの電源スイッチ近傍を拡大して示す図である。
【符号の説明】
１０Ａ〜１０Ｃ　ノート型ＰＣ
１１　ＰＣ本体
１２　蓋体
１３　キーボード
１６Ａ，１６Ｂ　電源スイッチ
１７　液晶ディスプレイ
１８　施錠機構
１９　鍵穴
２０　鍵
２３Ａ，２３Ｂ　スイッチノブ
２４　スライドカバー
【図１】
2004046425.tif 000003
【図２】
2004046425.tif 000004
【図３】
2004046425.tif 000005
【図４】
2004046425.tif 000006